(57)【要約】      （修正有）【課題】一つのケースで幾通りかのセット商品を包装できる多機能ケースを提供する。【解決手段】仕切り片Ａ１の上縁にヌスミＬ１とＬ２とを形成し、仕切り片Ａ２の差込み片Ｉ２側の折り畳み線に沿い、下向きコ字状のスリットＭ１と凸字状のスリットＭ２を設け、上記スリットＭ1の両外側から上方に亘って、上記ヌスミＬ１と同じ軌跡でミシン目Ｘ１を形成し、かつ、上記スリットＭ1の両端から上方にミシン目Ｘ２を入れ、上記差込み片Ｉ２の上記スリットＭ２に対向するコーナーにスリットＭ２の凸部と同じ幅の凸部Ｙを形成し、スリットＭ２の端に合わせて差込み片Ｉ２の高さの１／２のスリットＺを設け、そのスリットＺの上端から差込み片Ｉ２の下縁に平行な折り畳み線Ｔを設けてなる。【選択図】図１
0003107478.tif 000002
【実用新案登録請求の範囲】
【請求項１】
底片Ｂの上方に側壁形成片Ｓ１、蓋片Ｃ１，仕切り片Ａ１を折り畳み線を介して順次連設し、底片Ｂの下方に側壁形成片Ｓ２，蓋片Ｃ２，仕切り片Ａ２，差し込み片Ｉ２を折り畳み線を介して順次連設し、底片Ｂの両側に側壁形成片Ｓ３，Ｓ４および切り込みＫを設けたフラップＦ３，Ｆ４を連設し、上記側壁形成片Ｓ３，Ｓ４の両翼に羽状フラップＷ１，Ｗ２を設けたブランクを、折り畳み、組み立ててなるケースにおいて、上記仕切り片Ａ１と仕切り片Ａ２の幅はフラップＦ３，Ｆ４の切り込みＫの残部分だけ狭くし、その仕切り片Ａ１の上縁にヌスミＬ１とＬ２とを形成し、仕切り片Ａ２の差込み片Ｉ２側の折り畳み線に沿い、かつ、上記ヌスミＬ１とＬ２に対応する位置に、下向きコ字状のスリットＭ１と凸字状のスリットＭ２を設け、上記スリットＭ1の両外側から上方に亘って、上記ヌスミＬ１と同じ軌跡でミシン目またはハーフカットＸ１を形成し、かつ、上記スリットＭ1の両端から上方にミシン目Ｘ２を入れ、上記差込み片Ｉ２の上記スリットＭ２に対向するコーナーにスリットＭ２の凸部と同じ幅の凸部Ｙを形成し、スリットＭ２の端に合わせて差込み片Ｉ２の高さの１／２のスリットＺを設け、そのスリットＺの上端から差込み片Ｉ２の下縁に平行な折り畳み線Ｔを設けたことを特徴とする多機能ケース。
【請求項２】
上記、仕切り片Ａ２と差込み片Ｉ２との境目の折り畳み線にミシン目またはハーフカットＸ３を形成し、折り畳み線Ｔの中間に切り抜きＶを形成したことを特徴とする請求項１に記載の多機能ケース。
【請求項３】
上記切り込みＫによりフラップＦ３，Ｆ４が分割された分割フラップｆ１の高さ寸法と蓋片Ｃ１の高さ寸法とは同一であり、分割フラップｆ２の高さ寸法と蓋片Ｃ２の高さ寸法とは同一であることを特徴とする請求項１または２に記載の多機能ケース。
【考案の詳細な説明】
【技術分野】
【０００１】
この考案は、一つのケースで幾種類かの商品あるいはセット商品を包装することができる多機能ケースに関する。
【背景技術】
【０００２】
商品の配送形態の中には、書籍セット、書籍とビデオテープとのセット、はがき・絵はがきセット（以下、絵はがきセットで代表する）とＤＶＤとのセットなどセット商品がケースに納められて配送されるものがあるが、これまで、こうしたセット商品の包装用ケースは、幾種類ものセット商品を一つのケースで対応するものは提案されていなかった。
【考案の開示】
【考案が解決しようとする課題】
【０００３】
上記に鑑みこの考案は、一つのケースで幾通りかのセット商品を包装できる多機能ケースを提供することを課題とする。
【課題を解決するための手段】
【０００４】
上記課題を解決するためにこの考案は、底片Ｂの上方に側壁形成片Ｓ１、蓋片Ｃ１，仕切り片Ａ１を折り畳み線を介して順次連設し、底片Ｂの下方に側壁形成片Ｓ２，蓋片Ｃ２，仕切り片Ａ２，差し込み片Ｉ２を折り畳み線を介して順次連設し、底片Ｂの両側に側壁形成片Ｓ３，Ｓ４および切り込みＫを設けたフラップＦ３，Ｆ４を連設し、上記側壁形成片Ｓ３，Ｓ４の両翼に羽状フラップＷ１，Ｗ２を設けたブランクを、折り畳み、組み立ててなるケースにおいて、上記仕切り片Ａ１と仕切り片Ａ２の幅はフラップＦ３，Ｆ４の切り込みＫの残部分だけ狭くし、その仕切り片Ａ１の上縁にヌスミＬ１とＬ２とを形成し、仕切り片Ａ２の差込み片Ｉ２側の折り畳み線に沿い、かつ、上記ヌスミＬ１とＬ２に対応する位置に、下向きコ字状のスリットＭ１と凸字状のスリットＭ２を設け、上記スリットＭ1の両外側から上方に亘って、上記ヌスミＬ１と同じ軌跡でミシン目（ハーフカットでもよい、以下同じ）Ｘ１を形成し、かつ、上記スリットＭ1の両端から上方にミシン目Ｘ２を入れ、上記差込み片Ｉ２の上記スリットＭ２に対向するコーナーにスリットＭ２の凸部と同じ幅の凸部Ｙを形成し、スリットＭ２の端に合わせて差込み片Ｉ２の高さの１／２のスリットＺを設け、そのスリットＺの上端から差込み片Ｉ２の下縁に平行な折り畳み線Ｔを設けた（請求項１）ものであり、好ましくは、上記、仕切り片Ａ２と差込み片Ｉ２との境目の折り畳み線にミシン目Ｘ３を形成し、折り畳み線Ｔの中間に切り抜きＶを形成（請求項２）し、また、上記切り込みＫによりフラップＦ３，Ｆ４が分割された分割フラップｆ１の高さ寸法と蓋片Ｃ１の高さ寸法とは同一であり、分割フラップｆ２の高さ寸法と蓋片Ｃ２の高さ寸法とは同一（請求項３）とするものである。
【考案の効果】
【０００５】
上記の如く構成するこの考案によれば、一つのケースで幾種類ものセット商品を包装することができる。とりわけこの多機能ケースではポスターやカレンダーあるいは賞状と共にＣＤやＤＶＤ、はがきや絵はがき、記念写真などのセット商品を包装することができる。
【考案を実施するための最良の形態】
【０００６】
次にこの考案の実施の形態を、図面を参照しながら説明する。図１は、この考案に係る多機能ケースのブランクを示し、全体の長さは、丸めて筒状にしたカレンダー、ポスターあるいは賞状を収容できる寸法になる。
【０００７】
多機能ケースの底片Ｂの、図面上の上方には、側壁形成片Ｓ１と蓋片Ｃ１と仕切り片Ａ１とが折り畳み線を介して順次連設されており、底片Ｂの、図面上の下方には、側壁形成片Ｓ２と蓋片Ｃ２と仕切り片Ａ２と差し込み片Ｉ２とが折り畳み線を介して順次連設されている。
【０００８】
また、底片Ｂの両側に側壁形成片Ｓ３，Ｓ４および切り込みＫを入れて分割フラップｆ１，ｆ２からなるフラップＦ３，Ｆ４を連設し、上記側壁形成片Ｓ３，Ｓ４の両翼に羽状フラップＷ１，Ｗ２を設けている。
【０００９】
上記仕切り片Ａ１と仕切り片Ａ２の幅は、箱起こしをするときに、フラップＦ３，Ｆ４の切り込みＫに差し込むことになるので、切り込みＫの残部分だけ狭くし、その仕切り片Ａ１の上縁にＤＶＤを受け入れるヌスミＬ１とはがき、絵はがきセットを受け入れるヌスミＬ２とを形成している。
【００１０】
また、上記仕切り片Ａ２の差込み片Ｉ２側の折り畳み線に沿い、かつ、上記ヌスミＬ１とＬ２に対応する位置に、ＣＤを受け入れる隙間となる下向きコ字状のスリットＭ１とはがき、絵はがきセットを受け入れる隙間となる凸字状のスリットＭ２を設けている。
【００１１】
上記スリットＭ1の両外側から上方に亘って、上記ヌスミＬ１と同じ軌跡でミシン目Ｘ１を形成し、上記スリットＭ1の両端から上方にミシン目Ｘ２を入れている。これは、ＤＶＤを収容するときに上記ミシン目に沿ってその部分を切り離し、ＤＶＤを受け入れる隙間とするためのものである。
【００１２】
なお、上記仕切り片Ａ２の差込み片Ｉ２側の折り畳み線にミシン目Ｘ３を形成して折り畳みやすくしている。
【００１３】
上記差込み片Ｉ２の、上記スリットＭ２に対向するコーナーにスリットＭ２の凸部と同じ幅の凸部Ｙを形成し、スリットＭ２の端に合わせて差込み片Ｉ２の高さの１／２のスリットＺを入れ、そのスリットＺの上端から差込み片Ｉ２の下縁に平行な折り畳み線Ｔを設け、その折り畳み線Ｔの中間に切り抜きＶを形成して折り返し片Ｊとしている。この折り返し片Ｊの凸部Ｙは、差込み片Ｉ２を折り畳み線（ミシン目Ｘ３）に沿って折り畳んだときにスリットＭ２の凸部によりできる隙間に差し込まれる。
【００１４】
なお、上記フラップＦ３，Ｆ４は、切り込みＫにより分割フラップｆ１，ｆ２となるが、分割フラップｆ１の高さ寸法と蓋片Ｃ１の高さ寸法とは同一になり、分割フラップｆ２の高さ寸法と蓋片Ｃ２の高さ寸法とは同一になっていて、箱起こしをしたときポスター、カレンダー、賞状などを収容するスペースを形成する。
【００１５】
次に上記ブランクを箱起こししてポスター、カレンダーあるいは賞状、はがき、ＣＤあるいはＤＶＤのセット商品の包装について図１、図２を参照しながら説明する。羽状フラップＷ１，Ｗ２を折り畳んで側壁形成片Ｓ３，Ｓ４を起こし、さらにフラップＦ３，Ｆ４を折り畳み、次いで、差し込み片Ｉ２を逆折りし、仕切り片Ａ２、蓋片Ｃ２、側壁形成片Ｓ２を折り畳み、仕切り片Ａ２の両端をフラップＦ３，Ｆ４の切り込みＫに差し込んで図２の状態にする。
【００１６】
上記、箱起こし作業の際、側壁形成片Ｓ２、蓋片Ｃ２、仕切り片Ａ２で囲まれたスペースには筒状に巻いたカレンダーなどを収容し、ミシン目Ｘ３から位置ずれして形成されているスリットＭ１によってできる隙間にはＣＤを差し込む。また、ミシン目Ｘ１，Ｘ２に沿って切り抜くと大きい隙間ができるようになってこの隙間にＤＶＤを差し込めるようになる。
【００１７】
また、ミシン目Ｘ３から位置ずれして形成されているスリットＭ２によってできる隙間には絵はがきセットを差し込むことができ、差し込まれた絵はがきの一部が仕切り片Ａ２からはみ出すので折り返し片Ｊを折り畳み線Ｔに沿って折り返し、凸部ＹをスリットＭ２の凸部によってできる隙間に嵌め込み絵はがきセットを固定するようになっている。
【００１８】
次に、仕切り片Ａ１、蓋片Ｃ１、側壁形成片Ｓ１を順次折り畳み、仕切り片Ａ１の両端をフラップＦ３，Ｆ４の切り込みＫに差し込む。このとき側壁形成片Ｓ１、蓋片Ｃ１および仕切り片Ａ１で囲まれたスペースには筒状に巻いたポスターなどを収容する。また、仕切り片Ａ１に形成したヌスミＬ１はＣＤやＤＶＤを受け入れるためのものであり、ヌスミＬ２は、絵はがきを受け入れるためのものである。なお、ヌスミＬ１を仕切り片Ａ２に形成したスリットＭ１とミシン目Ｘ１，Ｘ２のようにすることもできる。
【産業上の利用可能性】
【００１９】
以上説明したように、この考案によれば一つのケースで幾種類かのセット商品を包装することができ、包装される商品の大きさが変化してもケースの大きさが変わらないので、荷造りがし易く、荷崩れを防止する効果が得られ産業上の利用価値が極めて高い物である。
【図面の簡単な説明】
【００２０】
【図１】本考案に係る多機能ケースの展開図
【図２】包装説明図
【符号の説明】
【００２１】
Ａ１，Ａ２  仕切り片
Ｂ  底片
Ｃ１，Ｃ２  蓋片
Ｆ３，Ｆ４  フラップ
Ｉ２  差し込み片
ｆ１，ｆ２  分割フラップ
Ｊ  折り返し片
Ｋ  切り込み
Ｌ１，Ｌ２  ヌスミ
Ｍ１，Ｍ２，Ｚ  スリット
Ｏ  カレンダー
Ｐ１  ＣＤ
Ｐ２  ＤＶＤ
Ｑ  絵はがき
Ｓ１，Ｓ２，Ｓ３，Ｓ４  側壁形成片
Ｔ  折り畳み線
Ｖ  切り抜き
Ｗ１，Ｗ２  羽状フラップ
Ｘ１，Ｘ２，Ｘ３  ミシン目
Ｙ  凸部
【図１】
0003107478.tif 000003
【図２】
0003107478.tif 000004